(57)【要約】  【課題】最適な光量で貯蔵室内を照射する照明を備えた冷蔵庫を提供する。  【解決手段】断熱壁１と断熱扉２によって区画された複数の貯蔵室４と、貯蔵室４内を照射する庫内照明７と、庫内照明７周囲の温度を検知する温度検知手段１０と、断熱扉２の開閉状態を検知する扉開閉検知手段９と、扉開閉検知手段９によって断熱扉２が開状態であることを検知した際に庫内照明７を点灯させ、温度検知手段１０の検知照度に応じて庫内照明７の光量を調節する制御手段とを備えることにより、照明光源の温度特性に応じた最適な光量で冷蔵庫庫内を照射することにより、安定した庫内照度を得ることができる。【選択図】図１
2009115408.tif 000002
【特許請求の範囲】
【請求項１】
断熱壁と断熱扉によって区画された複数の貯蔵室と、前記貯蔵室内を照射する庫内照明と、前記庫内照明近傍の温度を検知する温度検知手段と、前記断熱扉の開閉状態を検知する扉開閉検知手段と、前記扉開閉検知手段によって前記断熱扉が開状態であることを検知した際に前記庫内照明を点灯させ、前記温度検知手段の検知温度に応じて前記庫内照明の光量を調節する制御手段とを備えた冷蔵庫。
【請求項２】
前記温度検知手段として、サーミスタセンサを用いた請求項１に記載の冷蔵庫。
【請求項３】
前記庫内照明の光源として、発光ダイオードを用いた請求項１または２に記載の冷蔵庫。
【請求項４】
前記制御手段は、前記庫内照明への出力を変化させて光量を調節することとした請求項１から３のいずれか一項に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に加えて、白色ＬＥＤを用いるものが提案されている。
【０００３】
従来の照明装置を設けた冷蔵庫としては、複数の白色ＬＥＤを一枚の基板に実装し、庫内天面に設置して庫内照射しているものがある（例えば、特許文献１参照）。
【０００４】
図４は特許文献１に記載された従来の冷蔵庫の照明装置の斜視図を示すものである。
【０００５】
図４に示すように、実装基板１０１と、白色ＬＥＤ１０２と、断熱板１０４とを有して構成されて、冷蔵庫の庫内に設置される。
【０００６】
実装基板１０１は平板状で、一面または両面に回路パターン（図示せず）が形成され、熱伝導性の良好なエポキシ樹脂系の基板や絶縁金属基板を使用する。白色ＬＥＤ１０２は砲弾状に形成され、ＧａＮ系の青色ＬＥＤからの青色光を用いて蛍光材を励起して白色光を得る構造で、電流を通電する２本の通電端子１０３が導出される。
【０００７】
断熱板１０４は、ウレタン等の樹脂により平板状に形成され、複数の挿通孔が並設されて、実装基板１０１と白色ＬＥＤ１０２との間に設けられる。ここで、白色ＬＥＤ１０２は通電端子１０３が断熱板１０４の挿通孔に挿通され、実装基板１０１の回路パターンに半田付けされて実装され、複数個が実装基板１０１に並設される。尚、白色ＬＥＤ１０２の発熱量が少ない場合には、断熱板１０４は廃止しても構わない。
【０００８】
以上のように構成された白色ＬＥＤを照明装置として利用した冷蔵庫について、以下その動作を説明する。
【０００９】
まず、冷蔵庫の扉が閉まっている時には、白色ＬＥＤ１０２への通電は行なわず、庫内は照射されていない。扉が開けられると、機械式スイッチやホールＩＣ等の電子式スイッチで開扉状態と判断され、実装基板１０１に直流電圧が印加され、通電端子１０３を通して白色ＬＥＤ１０２に順方向電流が流れて、白色光が発光されて庫内が照射される。
【特許文献１】特開平１１−１５９９５３号公報
【発明の開示】
【発明が解決しようとする課題】
【００１０】
しかしながら、上記従来の構成では、冷蔵庫周囲の環境にかかわらず、庫内は一定の明るさで照射される。
【００１１】
一般に照明の光源となる手段において、光源本体及びその周辺の温度は、光源の光度に影響を与え、光源本体及びその周辺の温度が高いと光度は低下し、温度が低いと光度は向上するので、温度の状態によっては安定した光度が得られない。
【００１２】
本発明は、上記従来の課題を解決するもので、冷蔵庫庫内の照明装置周囲の温度に応じて、冷蔵庫庫内照明の光量を調節することにより、安定した照度を維持することができる照明装置を備えた冷蔵庫を提供することを目的とする。
【課題を解決するための手段】
【００１３】
上記従来の課題を解決するために、本発明の冷蔵庫は、庫内照明周囲に温度検知手段を設け、この検知温度に応じて前記庫内照明の光量を調節することで、冷蔵庫庫内の環境に応じた最適な光量で冷蔵庫庫内を照射する。
【発明の効果】
【００１４】
本発明の冷蔵庫は、庫内照明の光量を周囲温度に応じて調整することにより、庫内の食品の視認性を向上させることができる。
【発明を実施するための最良の形態】
【００１５】
請求項１に記載の発明は、断熱壁と断熱扉によって区画された複数の貯蔵室と、前記貯蔵室内を照射する庫内照明と、前記庫内照明近傍の温度を検知する温度検知手段と、前記断熱扉の開閉状態を検知する扉開閉検知手段と、前記扉開閉検知手段によって前記断熱扉が開状態であることを検知した際に前記庫内照明を点灯させ、前記温度検知手段の検知温度に応じて前記庫内照明の光量を調節する制御手段とを備えたことにより、照明光源の温度特性に応じた最適な光量で冷蔵庫庫内を照射することになり、安定した庫内照度を得ることができる。
【００１６】
請求項２に記載の発明は、請求項１に記載の発明において、照明周囲温度検知手段としてサーミスタセンサを用いることにより、小型で簡易な回路で温度検知手段が構成されるので、安価で制御性の高い構成が実現できる。
【００１７】
請求項３に記載の発明は、請求項１または２に記載の発明において、庫内照明の光源として発光ダイオードを用いることで、低電圧駆動の照明が可能となるので、駆動回路の簡易化、制御性の向上ができる。
【００１８】
請求項４に記載の発明は、請求項１から３のいずれか一項に記載の発明において、制御手段は、庫内照明への出力を変化させて光量を調節することとし、デューティー制御による平均電圧の調節等の手法を用いることにより、簡易な制御で庫内照明の光量を変化させるので、駆動回路の簡易化と制御性の向上が可能となる。
【００１９】
以下、本発明の実施の形態について、図面を参照しながら説明する。なお、この実施の形態によってこの発明が限定されるものではない。
【００２０】
（実施の形態１）
図１は本発明の実施の形態１における冷蔵庫の側面断面図、図２は本発明の実施の形態１における冷蔵庫の制御ブロック図である。
【００２１】
図１及び図２において、断熱壁１と断熱扉２で周囲と断熱して構成されている冷蔵庫本体３は、貯蔵室４内に保存物を重ならず整理して保存するための複数の収納棚５が設けられ、一部は上下に可動にできるように構成されている。最下段には前面に専用扉を有する特定低温室６が設けられ、消費者は選定した特定保存物を最適な温度で保存する。
【００２２】
また、貯蔵室４の室内側壁には扉開放前面から見て左右に、それぞれ庫内照明として庫内照明７が埋設されている。庫内照明７上には白色ＬＥＤ８が複数個配置され、貯蔵室４の手前側から奥側を照射するように設置されている。光源をＬＥＤとすることで、低電圧駆動の照明が可能となり、駆動回路の簡易化、制御性の向上ができる。
【００２３】
また、庫内照明７の近傍、又は庫内照明７の内部には照明周囲の温度検知手段１０が設けられている。
【００２４】
また、断熱扉２の開閉状態を検知するために、扉開閉検知手段９が設けられており、断熱扉２が開いているときに庫内照明７は点灯する。
【００２５】
制御手段１１は照明周囲の温度検知手段１０の検知温度を受けて庫内照明７の光量を調節する。照明周囲の温度検知手段１０としてはサーミスタセンサを用いることが望ましい。サーミスタセンサは小型で安価、特性が安定しており、簡易な回路構成が可能である。
【００２６】
図３は本発明の実施の形態１における冷蔵庫の庫内照明への出力を示すタイムチャートである。
【００２７】
庫内照明７の光量の調整は出力電圧のデューティー制御を行い、出力電圧の平均値を変化させ、白色ＬＥＤ８に流す電流を調節することで行う。例えば図３に示したように、出力パルス幅をＴ１、パルスの周期をＴ２とし、外部照度の検出値に応じてデューティー比Ｔ１／Ｔ２を変化させる。ここで、Ｔ１及びＴ２は、人間の目で白色ＬＥＤ８のちらつきが感じられない程度の値に設定すればよい。
【００２８】
（表１）は本発明の実施の形態における冷蔵庫の庫内照明近傍の温度と庫内照明への出力を示す一覧表である。
【００２９】
【表１】
2009115408.tif 000003
【００３０】
庫内照明７への出力は、（表１）に示したように照明周囲の温度検知手段１０の検知照度と、白色ＬＥＤ８の温度特性によって決定する。例えば、１０℃未満ではデューティー８０％、１０℃以上〜３０℃未満ではデューティー９０％、３０℃以上ではデューティー１００％が出力される。
【００３１】
以上のように、本実施の形態では、庫内照明７周辺の温度を照明周囲の温度検知手段１０で検知し、照明光源近傍の温度が高いときには庫内照明７の光量を増加させ、また温度が低いときには庫内照明７の光量を減らして、庫内照明７の光量を調節することで、貯蔵室４内を安定した光量で照射することができるため、庫内収納物の視認性を常に確保することができる。
【産業上の利用可能性】
【００３２】
以上のように、本発明にかかる冷蔵庫は、家庭用又は業務用冷蔵庫に照明を適用する場合に実施することはもちろん、扉のある物品貯蔵装置など照明を適用する幅広い設備機器に応用できるものである。
【図面の簡単な説明】
【００３３】
【図１】本発明の実施の形態１における冷蔵庫の側面断面図
【図２】本発明の実施の形態１における冷蔵庫の制御ブロック図
【図３】本発明の実施の形態１における冷蔵庫の庫内照明への出力を示すタイムチャート
【図４】従来の冷蔵庫の照明装置の斜視図
【符号の説明】
【００３４】
１    断熱壁
２    断熱扉
３    冷蔵庫
４    貯蔵室
７    庫内照明
８    白色ＬＥＤ
９    扉開閉検知手段
１０  温度検知手段
１１  制御手段
【図１】
2009115408.tif 000004
【図２】
2009115408.tif 000005
【図３】
2009115408.tif 000006
【図４】
2009115408.tif 000007